(57)【要約】【課題】  動きに意外性があり、時には対話式に遊ぶことが出来るような、新規で興趣ある遊戯具を提供する。このような遊戯具を団扇として構成することが出来ればなお良い。【解決手段】  柄部（１０）と、この柄部（１０）に取り付けられてこの柄部（１０）よりも広い面積を有すると共に画柄が表されている扇面（２）とから成り、この扇面（２）は前記柄部（１０）に対して所定の範囲まで移動可能に設けられており、この扇面（２）の移動の際にこの扇面（２）を隠したり現したりするためのマスク板（３）が、前記扇面（２）に、ガイド孔（２３）に嵌め合わせたスライドピン（３１）や回動軸（３０）から成るリンク部を以て前記扇面（２）を隠したり現したりし得るように、リンクされている団扇（１）とした。【選択図】図１
0003209681.tif 000002
【実用新案登録請求の範囲】
【請求項１】
持ち手と、この持ち手に取り付けられてこの持ち手よりも広い面積を有すると共に画柄が表されている表示部とから成り、この表示部が団扇の扇面であり、この扇面に表された画柄が顔であり、前記持ち手が前記団扇の柄部であり、前記表示部は前記持ち手に対して所定の範囲まで移動可能に設けられており、前記表示部の移動の際にこの表示部を隠したり現したりするためのマスク部が前記表示部にリンク部を以て前記表示部を隠したり現したりし得るようにリンクされており、前記マスク部は前記扇面の顔をその両側から隠したり現したりし得るように且つ前記顔を隠したり現したりする手を模したものとして設けられている、遊戯具。
【請求項２】
前記表示部に摘み部を有し、この摘み部と前記持ち手とを両手で持って操作した時に前記表示部が前記持ち手に対してスライドし得るようにように、前記表示部が前記持ち手に対してスライド自在に組み付けられており、前記マスク部はその端部に回動軸と連結部とを備えており、前記マスク部は前記回動軸を以て前記持ち手に回動自在に取り付けられており、前記マスク部は前記表示部に、前記連結部を以て前記表示部に設けられたスライド孔をスライドして前記表示部を隠したり現したりし得るように組み付けられている、請求項１に記載の遊戯具。
【請求項３】
前記表示部にスライド操作摘みが設けられており、このスライド操作摘みを前記持ち手を持った手の指で操作した時に前記表示部が前記持ち手に対してスライドし得るようにように、前記表示部が前記持ち手に対してスライド自在に組み付けられており、前記マスク部はその端部に回動軸と連結部とを備えており、前記マスク部は前記回動軸を以て前記持ち手に回動自在に取り付けられており、前記マスク部は前記表示部に、前記連結部を以て前記表示部に設けられたスライド孔をスライドして前記表示部を隠したり現したりし得るように組み付けられている、請求項１に記載の遊戯具。
【考案の詳細な説明】
【技術分野】
【０００１】  この考案は、持ち手に設けられた画柄のある表示部を、マスク部を手で操作することによって隠したり現したりして見せる新規で興趣ある遊戯具に係り、より好適には表示部が団扇の扇面であり、その画柄が顔であり、この顔をマスク部としての手で隠したり現したりして、いないいないばぁのような世界共通の遊びが出来る遊戯具に関するものである。
【背景技術】
【０００２】  従来より柄と扇面とからなる団扇が涼風を起こす道具として用いられて来た。扇面には風流な画柄や流行のキャラクターの画柄が印刷されており楽しさが演出されていた。しかしながら団扇に動きを求めることは離しく、この意味で団扇は在り来たりの面白味に欠ける道具でしかなかった。扇風機やクーラーに押されて団扇の製造量が激減したと言うのも頷ける話である。【０００３】  そこで上述したように扇面に何らかの動きを生じさせるようにしてはどうかと言う考えにもなる。例えば特開２００５−０８１０５４号の団扇は、団扇本体の縁面側に揺動小片を有し、この揺動小片の先端に重錘が付設され、上記団扇本体に例えば招き猫が描かれており、上記揺動小片は招き猫の手の形態を呈しているため、団扇本体を扇ぐことに伴って招き猫の手が動いて、キャラクターに応じた動作的な面白さが倍増すると言う。【０００４】  また特開２０１２−０００４０８号のうちわは、団扇本体に揺動部品を揺動自在に取り付けたので、団扇本体を左右に揺らすことで揺動部品が左右に揺れ、娯楽性を出すことが出来ると言う。【０００５】  また特開平０８−２５２１０８号のうちわは、小さな長孔が設けられたうちわ本体と、上記長孔に係止した状態で揺動可能な小片とで構成され、扇ぐ度に上記小片が揺動してパタパタと音を立てるので、従来のものとは一味違った面白さがあると言う。
【先行技術文献】
【特許文献】
【０００６】
【特許文献１】特開２００５−０８１０５４号公報
【特許文献２】特開２０１２−０００４０８号公報
【特許文献３】特開平０８−２５２１０８号公報
【考案の概要】
【考案が解決しようとする課題】
【０００７】  しかしながら上述した特開２００５−０８１０５４号や特開２０１２−０００４０８号の団扇では、扇面が表すキャラクターがそのキャラクターの腕などの一部を構成する揺動部品を備えているだけであるから、単にキャラクターの腕を揺らせて見せる程度の面白味しか感じられない。また特開平０８−２５２１０８号の面白い点は、キャラクターの腕などの一部が扇ぐ度にパタパタと音を立てると言うことのみである。【０００８】  この考案の目的は上述したような問題点を解決して、動きに意外性があり、時には対話式に遊ぶことが出来るような、新規で興趣ある遊戯具を提供することにある。なおこのような遊戯具を団扇として構成することが出来ればなお良いであろう。
【課題を解決するための手段】
【０００９】  上記課題は、持ち手とこの持ち手に取り付けられてこの持ち手よりも広い面積を有すると共に画柄が表されている表示部とから成り、この表示部が団扇の扇面であり、この扇面に表された画柄が顔であり、前記持ち手が前記団扇の柄部であり、前記表示部は前記持ち手に対して所定の範囲まで移動可能に設けられており、前記表示部の移動の際にこの表示部を隠したり現したりするためのマスク部が前記表示部にリンク部を以て前記表示部を隠したり現したりし得るようにリンクされており、前記マスク部は前記扇面の顔をその両側から隠したり現したりし得るように且つ前記顔を隠したり現したりする手を模したものとして設けられている、遊戯具を提供することによって達成される。上記持ち手や表示部やマスク部の素材は任意であって、紙、ダンボール紙、合成樹脂板、合成樹脂成型物などが自由に選択可能である。【００１０】  持ち手を持って表示部を掲げると、表示部に表示された画柄が人目を惹くが、マスク部はこの画柄を隠したり現したりすることが出来る。このマスク部はリンク部を以て表示部に連動するものであるため、この遊戯具の遊戯者は持ち手を持ちつつ、別の手で表示部を持ち手に対して所定の範囲内で移動させる操作を行うことで、マスク部はこの画柄を隠したり現したりするように動作する。従って表示部を操作するとマスク部が表示部を隠したり現したりするため、マスク部の大きな動きや広い面積の表示部の見え隠れが、遊戯者に新鮮さや意外性と言った興趣を催させることになる。【００１１】  表示部が団扇の扇面であり、持ち手が団扇の柄部であるように構成した。扇面に風流な画柄や流行のキャラクターの画柄が印刷することで楽しさが演出された団扇となる。この遊戯具は、マスク部の大きな動きや表示部の見え隠れを楽しむだけでなく、扇ぐ団扇としての機能をも有し、更にその相乗効果がある。【００１２】  また前記表示部に表された画柄が顔であり、前記マスク部が前記表示部をその両側から隠したり現したりし得るように且つ前記顔を隠したり現したりする手を模したものとして設けた。特に扇面にキャラクターの顔面を表す画柄が印刷されたものである場合、キャラクターの手を模したマスク部は顔面を隠したり現したりするので、これは昔からあり世界共通の遊びでもある「いないいないばぁ」をするのに好適な遊戯具となる。従って大人がこの団扇の柄部を持ち、扇面のキャラクターの顔面が表された側を子供に向けて、キャラクターの手を操るようにして、いないいないばぁと言いつつ遊んだり、大人がこの団扇の柄部を持ち子供にキャラクターの手を操らせて遊ぶなどが可能である。【００１３】  次に、前記表示部に摘み部を有し、この摘み部と前記持ち手とを両手で分担して持って操作した時に、前記表示部が前記持ち手に対してスライドし得るようにように前記表示部が前記持ち手に対してスライド自在に組み付けられており、前記マスク部はその端部に回動軸と連結部とを備えており、前記マスク部は前記回動軸を以て前記持ち手に回動自在に取り付けられており、前記マスク部は前記表示部に、前記連結部を以て前記表示部に設けられたスライド孔をスライドして前記表示部を隠したり現したりし得るように組み付けられているものとす��ことが出来る。【００１４】  表示部は持ち手に対して所定の範囲まで移動可能に設けられているから、摘み部と持ち手とを両手で分担して持って引くように操作すると、表示部は持ち手に対して遠ざかるようにスライドする。この状態から逆に摘み部と持ち手とを押す方向に操作すると、表示部と持ち手とは互いに近付くようにスライドする。この動きを利用するのであるが、マスク部は回動軸を以て持ち手に対して回動し得る状態にある所、表示部がスライドすることによってスライド孔が移動するため、このスライド孔に案内されて上記連結部が移動しようとする。しかしながらこの移動は上記回動軸があるためにマスクの回動運動として現れ、これが表示部を隠したり現したりする動作となって見られるのである。【００１５】  上述した請求項２の考案は、表示部を持ち手に対してスライドさせるのに表示部の摘み部と持ち手とを両手で分担して持って操作するものとした。これに対して請求項３の考案は、表示部にスライド操作摘みが設けられており、このスライド操作摘みを持ち手を持った手の指で操作した時に表示部が持ち手に対してスライドし得るようにように、表示部が持ち手に対してスライド自在に組み付けられている点で異なる。この構成によれば、一方の手で持ち手を持ち、他方の手の指で表示部のスライド操作摘みを摘んで表示部を持ち手に対してスライドさせたり、あるいは片方の手で持ち手を持ち、その手の親指でスライド操作摘みを押したり引いたりしてスライドさせる操作を行うことが出来る。
【考案の効果】
【００１６】  この考案の遊戯具によれば、表示部が持ち手に対して所定の範囲まで移動可能に設けられており、この表示部の移動の際に表示部を隠したり現したりし得るように、マスク部と表示部とをリンク部を以てリンクさせているため、画柄のある表示部を、マスク部を手で操作することによって隠したり現したりして見せることが出来、動きに意外性があり興趣を催させる新規なものとなっている。【００１７】  特に表示部が団扇の扇面であり、その画柄が顔であるものとしたので、この顔をマスク部としての手で隠したり現したりして、いないいないばぁのような世界共通であり対話式に遊ぶことが出来る遊戯具となっている。
【図面の簡単な説明】
【００１８】
【図１】  実施例１を前面から見た説明図である。
【図２】  この動作状態を表した説明図である。
【図３】  この主要部品の展開説明図である。
【図４】  この主要部品の展開説明図である。
【図５】  実施例２を背面から見た説明図である。
【図６】  この動作状態を表した説明図である。
【考案を実施するための形態】
【００１９】  以下ではこの考案の２種の遊戯具を説明するが、この考案はこれ等の遊戯具に限定されるものではない。
【実施例１】
【００２０】  図１乃至図４で表したこの実施例の団扇１は、図３及び図４で表すような紙製の展開部品を使用している。すなわち柄部１０と扇面２とマスク板３とである。この内の柄部１０を２つ折りにして側面板１４，１５を内側へ折り、のりしろ片１６で接着すると、立体かつ中空の柄部１０が出来上がるが、この一側にはガイド孔１１が開孔されている。一方、扇面２はスライド部材２０を有し、扇面２のスライド部材２０の付け根の左右にはガイド孔２３が開孔されており、スライド部材２０の片面には摘み２２が付いた摺動部材２１が取り付けられるようになっている。また２つのマスク板３は掌の形状を呈して、各々手首の左右２箇所で、両の掌で顔を隠す時の外側に相当する部位に回動軸３０が、及び内側に相当する部位にスライドピン３１が取り付けられている。【００２１】  これ等の部品、柄部１０と扇面２とマスク板３とは、次のようにして組み付けられて、図１の団扇１が形成される。すなわち中空の柄部１０に扇面２のスライド部材２０を挿入するが、この際にスライド部材２０の上記摺動部材２１を取り付ける面をガイド孔１１がある側に向けるようにし、挿入後に摺動部材２１をガイド孔１１に嵌め合わせるようにして、スライド部材２０に摘み２２が付いた摺動部材２１を取り付けるようにする。このような構成により、手で柄部１０を握りつつ親指で摘み２２をガイド孔１１に沿って往復動させると、スライド部材２０が柄部１０の中で上下に往復運動を行うのである。【００２２】  一方柄部１０の上記スライド部材２０を挿入する口の辺りには、左右に軸孔１３を開孔した軸受け板１２が設けられており、上記掌の形状のマスク板３が、各々の外側の回動軸３０を上記軸孔１３に通すようにして回動自在に取り付けられると共に、内側のスライドピン３１を扇面２の上記ガイド孔２３に嵌め合わせるようにしてスライド自在に取り付けられている。【００２３】  この構成によれば、図１、図２は扇面２を背面視したものであるが、図１の状態で左右の掌の形状をしたマスク板３が扇面２を隠しているが、図２で表すように摘み２２を矢線方向に押し上げると、柄部１０に対して扇面２が上昇すると共に、マスク板３，３の内側のスライドピン３１が扇面２の下方のガイド孔２３に押し上げられるも、柄部１０の上方の軸受け板１２の回動軸３０によって外方に回動するしかなく、この結果左右のマスク板３，３は外方に開いて、これまで隠していた扇面２を露わにする。逆に図１で表すように上記摘み２２を矢線方向に引き下げると、柄部１０に対して扇面２が下降し、マスク板３のスライドピン３１が扇面２のガイド孔２３に押し下げられるも、柄部１０の回動軸３０によって内方に回動するしかなく、左右のマスク板３，３は内方に閉じてこれまで露わにしていた扇面２を隠す。このような摘み２２の上下操作に際して「いないいないばぁ」と声を出せば、扇面２を正面視している者からすると実に楽しい「いないいないばぁ遊び」となるのである。【００２４】  この扇面２の正面には、キャラクターの顔のイラストや有名人の似顔絵などを印刷しておくようにする。あるいは「いないいないばぁ遊び」の親の顔写真や、当の子供の顔写真を貼るようにしても良い。このように用い方��様々である。なお上述した「いないいないばぁ遊び」の他にも「じゃんけんぽん遊び」などが可能であり、その用途にも特に限定はない。
【実施例２】
【００２５】  図５及び図６で表したこの実施例の団扇４は、その殆どの構成を上述の実施例１に倣うものであるが、実施例１が摘み２２（実質的には指先を掛ける突起である）の往復操作によってマスク板３の開閉を行うようにしていたのに対し、実施例２ではマスク板６そのものを摘んで（実際に２本の指で摘むものである）の上下動操作を行うように構成している点で異なる。【００２６】  図５、図６は扇面５を正面視したものである。立体かつ中空の柄部４０と、スライド部材５０を有しこのスライド部材５０との付け根の左右に略水平のガイド孔５３が開孔された扇面５と、グローブの形状を呈して各々手首の左右２箇所で両のグローブで顔を隠す時の外側に相当する部位に回動軸６０が及び内側に相当する部位にスライドピン６１が取り付けられた２つのマスク板６と、の主要３部品から構成されている。【００２７】  そして中空の柄部４０に扇面５のスライド部材５０を挿入するが、上記扇面５の頂部には紐孔５２が開孔された操作摘み５１が設けられている。このような構成により、片方の手で柄部４０を握りつつ、もう一方の手の指で操作摘み５１を摘んで上下方向に往復動させると、スライド部材５０が柄部４０の中で上下に往復運動を行う。なお扇面５の正面にはキャラクターのイラストや有名人の顔写真などを印刷しておくようにする。【００２８】  また柄部４０の上記スライド部材５０を挿入する口の辺りには、左右に軸孔４２を開孔した軸受け板４１が設けられており、上記グローブの形状のマスク板６が、各々の外側の回動軸６０を上記軸孔４２に通すようにして回動自在に取り付けられていると共に、内側のスライドピン６１を扇面５の上記ガイド孔５３に嵌め合わせるようにしてスライド自在に取り付けられている。なお図中符号４３はのりしろ片を指す。【００２９】  この構成によれば、図５の状態で左右のグローブの形状をした左右のマスク板６が扇面５を隠しているが、図６で表すように操作摘み５１を矢線方向に引き上げると、柄部４０に対して扇面５が上昇すると共に、マスク板６，６の内側のスライドピン６１が扇面５の下方のガイド孔５３に押し上げられるも、柄部４０の上方の軸受け板４１の回動軸６０によって外方に回動するしかなく、この結果左右のマスク板６，６は外方に開いて、これまでは隠していた扇面５を露わにする。これとは逆に図６で表すように上記摘み５２を矢線方向に押し下げると、柄部４０に対して扇面５が下降し、マスク板６のスライドピン６１が扇面５のガイド孔５３に押し下げられるも、柄部４０の回動軸６０によって内方に回動するしかなく、左右のマスク板６，６は内方に閉じて、これまで露わにしていた扇面５を隠す。このような団扇４を用いて「いないいないばぁ遊び」をすることが出来る。すなわち操作摘み５１の上下操作を行いつつ「いないいないばぁ」と声を出せば良い。なお符号５２の紐孔に提げ紐を通しておけば、これを以て壁に掛けるなどが可能となる。【００３０】  なお、上記扇面５の頂部の操作摘み５１の代わりに、柄部４０の下端部に開口部を設けておき、ここからスライド部材５０の下端部を外部に取り出すようにして、この下端部を指先で摘んでスライド部材５０の上下操作が行えるように構成することも可能である。
【産業上の利用可能性】
【００３１】  上述した２つの実施例に付いて、手やグローブが左右に分かれて開くのではなく、顔が割れて左右に開き、下の扇面から別の顔が現れるようにしても面白い。また手やグローブが左右に分かれた際に、キャラクターや人の顔ではなく上半身や全身が現れるようにしても良い。また左右のマスク板を閉じた際に、互いのマスク板が近接する側の縁部を扇面とは反対側に折り返すようにして、この折り返し部同士がぶつかり合い音を出すように構成することが出来る。なお実施例１の摘み２２に下方に引き戻す弾性体を取り付けるようにすれば、摘み２２から指を離すだけで自動的に摘み２２を引いてマスク板３を閉じさせることが可能になる。また摘み２２を重錘に替えれば、柄部１０を持つ手を上下に振るだけで、マスク板３を開いたり閉じたり繰り返させることが出来るようになる。なお上記持ち手や表示部やマスク部に企業や商品などの宣伝広告を入れることが可能である。【００３２】  この考案は遊戯具、玩具、民芸品的なお土産品などに限定されるものではなく、上述した実施例の団扇や扇子などの風を扇ぐもの、スポーツ応援用具やコンサートでの声援用具などにも広く適用することが可能である。従って音声合成回路を内蔵したり、ＬＥＤ発光回路を付属させたものなども、この考案の権利範囲内のものである。
【符号の説明】
【００３３】１    団扇        １０  柄部          １１  ガイド孔      １２  軸受け板
１３  軸孔        １４  側面板        １５  側面板        １６  のりしろ片
２    扇面        ２０  スライド部材  ２１  摺動部材      ２２  摘み
２３  ガイド孔    ３    マスク板      ３０  回動軸        ３１  スライドピン
４    団扇        ４０  柄部          ４１  軸受け板      ４２  軸孔
４３  のりしろ片  ５    扇面          ５０  スライド部材  ５１  操作摘み
５２  紐孔        ５３  ガイド孔      ６    マスク板      ６０  回動軸
６１  スライドピン
【図１】
0003209681.tif 000003
【図２】
0003209681.tif 000004
【図３】
0003209681.tif 000005
【図４】
0003209681.tif 000006
【図５】
0003209681.tif 000007
【図６】
0003209681.tif 000008